(57)【要約】  映像の輝度を効果的に調整できる調整装置等を提供する。調整装置は、第１のＯＥＴＦが用いられることで生成された非リニアな第１映像信号を取得する取得部と、取得部において取得された第１映像信号を、（ｉ）当該第１映像信号が、第１のＯＥＴＦの逆特性が用いられることでリニア信号に変換され、かつ、（ｉｉ）当該リニア信号に対して入力値と出力値との関係がリニアとなるゲイン変更を含む調整処理が行われ、かつ、（ｉｉｉ）当該調整処理が行われることにより得られた調整後リニア信号が、所定のフォーマットに応じた第２のＯＥＴＦが用いられることで変換される、ことにより得られる、非リニアな第２映像信号に変換する変換処理を行う変換部と、変換部において変換されることにより得られた第２映像信号を出力する出力部と、を備える。
2018062022.tif 000002
【特許請求の範囲】
【請求項１】
第１のＯＥＴＦ（Ｏｐｔｏ−Ｅｌｅｃｔｒｏｎｉｃ  Ｔｒａｎｓｆｅｒ  Ｆｕｎｃｔｉｏｎ）が用いられることで生成された非リニアな第１映像信号を取得する取得部と、
前記取得部において取得された前記第１映像信号を、（ｉ）前記第１映像信号が、前記第１のＯＥＴＦの逆特性が用いられることでリニア信号に変換され、かつ、（ｉｉ）前記リニア信号に対して入力値と出力値との関係がリニアとなるゲイン変更を含む調整処理が行われ、かつ、（ｉｉｉ）前記調整処理が行われることにより得られた調整後リニア信号が、所定のフォーマットに応じた第２のＯＥＴＦが用いられることで変換される、ことにより得られる、非リニアな第２映像信号に変換する変換処理を行う変換部と、
前記変換部において変換されることにより得られた前記第２映像信号を出力する出力部と、を備える、
調整装置。
【請求項２】
前記第１映像信号および前記第２映像信号は、ＨＤＲ（Ｈｉｇｈ  Ｄｙｎａｍｉｃ  Ｒａｎｇｅ）映像信号である、
請求項１に記載の調整装置。
【請求項３】
前記調整装置は、さらに、
ＹＵＶ信号で構成される映像信号を、ＲＧＢ信号に変換するＹＵＶ−ＲＧＢ変換部と、
ＲＧＢ信号で構成される映像信号を、ＹＵＶ信号に変換するＲＧＢ−ＹＵＶ変換部と、を備え、
前記ＹＵＶ−ＲＧＢ変換部は、前記第１映像信号を、ＹＵＶ信号からＲＧＢ信号に変換し、
前記変換部は、前記ＹＵＶ−ＲＧＢ変換部においてＲＧＢ信号に変換されることにより得られた、前記第１映像信号を構成する第１Ｒ信号、第１Ｇ信号および第１Ｂ信号のそれぞれに前記変換処理を行うことで、前記第１映像信号を、第２Ｒ信号、第２Ｇ信号および第２Ｂ信号により構成される前記第２映像信号に変換し、
前記ＲＧＢ−ＹＵＶ変換部は、前記変換部において前記第１映像信号が変換されることにより得られた前記第２映像信号を、ＲＧＢ信号からＹＵＶ信号に変換する、
請求項１または２に記載の調整装置。
【請求項４】
前記変換部は、
前記取得部で取得された前記第１映像信号を、前記第１のＯＥＴＦの逆特性を用いて前記リニア信号に変換する第１変換部と、
前記第１変換部で得られた前記リニア信号に対して前記調整処理を行う第２変換部と、
前記第２変換部で前記調整処理が行われることにより得られた前記調整後リニア信号を、前記第２のＯＥＴＦを用いて前記第２映像信号に変換する第３変換部と、を有する、
請求項１から３のいずれか１項に記載の調整装置。
【請求項５】
前記第１映像信号および前記第２映像信号は、ＰＱ（Ｐｅｒｃｅｐｔｕａｌ  Ｑｕａｎｔｉｚａｔｉｏｎ）特性、または、ＨＬＧ（Ｈｙｂｒｉｄ  Ｌｏｇ−Ｇａｍｍａ）特性を有する、
請求項１から４のいずれか１項に記載の調整装置。
【請求項６】
前記取得部は、さらに、前記第１映像信号の特性を示す第１メタデータを取得し、
前記調整装置は、さらに、
前記取得部で取得された前記第１メタデータを、前記第２映像信号の特性を示す第２メタデータに変更する変更部、を備え、
前記出力部は、前記第２映像信号および前記第２メタデータを出力する、
請求項１から５のいずれか１項に記載の調整装置。
【請求項７】
前記第１メタデータは、前記第１映像信号の映像全体に含まれる画素の最大輝度値である第１最大輝度値、および、前記第１映像信号の映像を構成する複数のフレームそれぞれの平均輝度の最大値である第１最大フレーム平均輝度値、の少なくとも１つを含み、
前記変更部は、（ｉ）前記第１最大輝度値から、前記第２映像信号の映像全体に含まれる画素の最大輝度値である第２最大輝度値への変更、および、（ｉｉ）前記第１最大フレーム平均輝度値から、前記第２映像信号の映像を構成する複数のフレームそれぞれの平均輝度の最大値である第２最大フレーム平均輝度値への変更、の少なくとも１つを行う、
請求項６に記載の調整装置。
【請求項８】
前記取得部は、さらに、前記第１映像信号の特性を示す第１メタデータを取得し、
前記変換部は、前記取得部で取得された前記第１メタデータに応じて、前記第１映像信号を前記第２映像信号に変換する、
請求項１から５のいずれか１項に記載の調整装置。
【請求項９】
前記第１メタデータは、前記第１映像信号の映像が生成される基になったマスター映像が生成されたときに使用されたマスターモニターの最大輝度値、および、前記第１映像信号の映像全体に含まれる画素の最大輝度値である第１最大輝度値、の少なくとも１つを含み、
前記第２映像信号は、前記第２映像信号の輝度が、前記第１メタデータに含まれる前記マスターモニターの前記最大輝度値および前記第１最大輝度値の一方以下となるように、前記調整処理が行われることにより得られる信号である、
請求項８に記載の調整装置。
【請求項１０】
前記第１メタデータは、前記第１映像信号の映像を構成する複数のシーンのそれぞれの最大輝度値を含み、
前記第２映像信号は、前記複数のシーンのそれぞれについて、前記第２映像信号の輝度が、前記第１メタデータに含まれる当該シーンの最大輝度値以下となるように、前記調整処理が行われることにより得られる信号である、
請求項８に記載の調整装置。
【請求項１１】
前記変換部は、前記第２映像信号の輝度が、所定の最大輝度値以下となるように、前記調整処理を行い、
前記調整装置は、さらに、
前記取得部で取得された前記第１メタデータを、前記第２映像信号の特性を示す第２メタデータに変更する変更部を備え、
前記出力部は、前記第２映像信号および前記第２メタデータを出力する、
請求項８に記載の調整装置。
【請求項１２】
前記調整装置は、デジタルインターフェースによって表示装置と接続され、
前記出力部は、前記デジタルインターフェースを介して、前記表示装置に前記第２映像信号を出力する、
請求項１から１１のいずれか１項に記載の調整装置。
【請求項１３】
第１のＯＥＴＦで生成された非リニアな第１映像信号を変換し、第２映像信号を出力する調整装置が行う調整方法であって、
前記第１映像信号を取得し、
前記取得において取得された前記第１映像信号を、（ｉ）前記第１映像信号が、前記第１のＯＥＴＦの逆特性が用いられることでリニア信号に変換され、かつ、（ｉｉ）前記リニア信号に対して入力値と出力値との関係がリニアとなるゲイン変更を含む調整処理が行われ、かつ、（ｉｉｉ）前記調整処理が行われることにより得られた調整後リニア信号が、所定のフォーマットに応じた第２のＯＥＴＦが用いられることで変換される、ことにより得られる、非リニアな前記第２映像信号に変換し、
前記変換により得られた前記第２映像信号を出力する、
調整方法。
【請求項１４】
請求項１３に記載の調整方法をコンピュータに実行させるプログラム。
【発明の詳細な説明】
【技術分野】
【０００１】
本開示は、映像信号を調整する調整装置、調整方法およびプログラムに関する。
【背景技術】
【０００２】
特許文献１は、表示可能な輝度レベルを改善するための画像信号処理装置を開示する。
【先行技術文献】
【特許文献】
【０００３】
【特許文献１】特開２００８−１６７４１８号公報
【発明の概要】
【０００４】
しかしながら、特許文献１に開示された技術では、表示装置に表示される映像の輝度を効果的に調整することは難しい。
【０００５】
本開示は、映像の輝度を効果的に調整できる調整装置および調整方法を提供する。
【０００６】
本開示における調整装置は、第１のＯＥＴＦ（Ｏｐｔｏ−Ｅｌｅｃｔｒｏｎｉｃ  Ｔｒａｎｓｆｅｒ  Ｆｕｎｃｔｉｏｎ）が用いられることで生成された非リニアな第１映像信号を取得する取得部と、前記取得部において取得された前記第１映像信号を、（ｉ）前記第１映像信号が、前記第１のＯＥＴＦの逆特性が用いられることでリニア信号に変換され、かつ、（ｉｉ）前記リニア信号に対して入力値と出力値との関係がリニアとなるゲイン変更を含む調整処理が行われ、かつ、（ｉｉｉ）前記調整処理が行われることにより得られた調整後リニア信号が、所定のフォーマットに応じた第２のＯＥＴＦが用いられることで変換される、ことにより得られる、非リニアな第２映像信号に変換する変換処理を行う変換部と、前記変換部において変換されることにより得られた前記第２映像信号を出力する出力部と、を備える。
【０００７】
なお、これらの全般的または具体的な態様は、システム、装置、方法、集積回路、コンピュータプログラム、またはコンピュータ読み取り可能なＣＤ−ＲＯＭ等の記録媒体で実現されてもよく、システム、装置、方法、集積回路、コンピュータプログラムおよび記録媒体の任意な組み合わせで実現されてもよい。
【０００８】
本開示における調整装置または調整方法によれば、映像の輝度を効果的に調整できる。
【図面の簡単な説明】
【０００９】
【図１】図１は、実施の形態１におけるＡＶ（Ａｕｄｉｏ  Ｖｉｓｕａｌ）システムの構成の一例を模式的に示す図である。
【図２Ａ】図２Ａは、ＨＤＲ（Ｈｉｇｈ  Ｄｙｎａｍｉｃ  Ｒａｎｇｅ）およびＳＤＲ（Ｓｔａｎｄａｒｄ  Ｄｙｎａｍｉｃ  Ｒａｎｇｅ）のそれぞれに対応したＥＯＴＦ（Ｅｌｅｃｔｒｏ−Ｏｐｔｉｃａｌ  Ｔｒａｎｓｆｅｒ  Ｆｕｎｃｔｉｏｎ）の例について示す図である。
【図２Ｂ】図２Ｂは、ＨＤＲおよびＳＤＲのそれぞれに対応したＯＥＴＦ（Ｏｐｔｏ−Ｅｌｅｃｔｒｏｎｉｃ  Ｔｒａｎｓｆｅｒ  Ｆｕｎｃｔｉｏｎ）の例について示す図である。
【図３】図３は、実施の形態１における調整装置の機能構成の一例を模式的に示すブロック図である。
【図４】図４は、実施の形態１における変換部の第１変換部、第２変換部および第３変換部による変換処理について説明するための模式図である。
【図５】図５は、実施の形態１における、調整装置に入力されるＨＤＲ信号の特性と調整装置から出力されるＨＤＲ信号の特性との組合せを示す図である。
【図６】図６は、実施の形態１における調整装置の動作（調整方法）の一例を示すフローチャートである。
【図７】図７は、実施の形態１における変換処理の一例を示すフローチャートである。
【図８】図８は、課題を説明するための図である。
【図９】図９は、実施の形態１における調整処理の一例を示す図である。
【図１０】図１０は、実施の形態２における調整装置の機能構成の一例を模式的に示すブロック図である。
【図１１】図１１は、実施の形態２における調整装置の動作（調整方法）の一例を示すフローチャートである。
【図１２】図１２は、実施の形態３における調整装置の機能構成の一例を模式的に示すブロック図である。
【図１３】図１３は、実施の形態３における変換処理の一例を示すフローチャートである。
【図１４】図１４は、実施の形態４における調整装置の機能構成の一例を模式的に示すブロック図である。
【図１５】図１５は、実施の形態４における調整装置の動作（調整方法）の一例を示すフローチャートである。
【図１６】図１６は、実施の形態５における調整装置の機能構成の一例を模式的に示すブロック図である。
【発明を実施するための形態】
【００１０】
（本発明の基礎となった知見）
本願発明者は、特許文献１に開示されている画像信号処理装置に関し、以下の問題が生じることを見出した。
【００１１】
特許文献１に開示されている画像信号処理装置では、被写体像を構成する画素から算出されたリニアＲＧＢ値に基づいて画素毎にリニア輝度を算出する。そして、リニアＲＧＢ値およびリニア輝度に基づいて画素毎の補正リニア輝度および当該画素を含む複数の画素を合成した合成画素の補正リニアＲＧＢ値を算出する。そして、補正リニア輝度および補正リニアＲＧＢ値をそれぞれガンマ補正して表示用輝度および表示用ＲＧＢ値を算出する。このように、その画像信号処理装置では、補正リニアＲＧＢ値に基づいてリニア輝度を補正することにより、表示可能な輝度レベルの改善を図っている。
【００１２】
近年、映像技術の進化に伴い、特許文献１に記載のような従来の映像のダイナミックレンジ（ＳＤＲ：Ｓｔａｎｄａｒｄ  Ｄｙｎａｍｉｃ  Ｒａｎｇｅ）よりも広いダイナミックレンジであるＨＤＲ（Ｈｉｇｈ  Ｄｙｎａｍｉｃ  Ｒａｎｇｅ）に対応したＨＤＲ映像をＴＶ（Ｔｅｌｅｖｉｓｉｏｎ）等の表示装置に表示させる技術が提案されている。
【００１３】
しかし、ＨＤＲ映像では、広大なダイナミックレンジを表現する必要があるため、コンテンツの制作や表示装置への表示等に高い性能や新しいノウハウが求められている。このため、ＨＤＲ映像の表示には、課題が多い。
【００１４】
例えば、周囲の明るさ等の視聴環境、ディスプレイの輝度性能、映像素材のグレーディング環境や制作側の意図等によって、表示装置に表示されるＨＤＲ映像は、大きくばらつくことがあり、異なって見えることがある。このため、ＨＤＲ映像を再生する再生装置には、ＨＤＲ映像の表示のばらつきを適切に調整する機能が求められる。しかし、ＨＤＲ映像は、ＰＱ（Ｐｅｒｃｅｐｔｕａｌ  Ｑｕａｎｔｉｚａｔｉｏｎ）、または、ＨＬＧ（Ｈｙｂｒｉｄ  Ｌｏｇ−Ｇａｍｍａ）等の新たに定義されたＥＯＴＦ（Ｅｌｅｃｔｒｏ−Ｏｐｔｉｃａｌ  Ｔｒａｎｓｆｅｒ  Ｆｕｎｃｔｉｏｎ）の逆特性またはＯＥＴＦ（Ｏｐｔｏ−Ｅｌｅｃｔｒｏｎｉｃ  Ｔｒａｎｓｆｅｒ  Ｆｕｎｃｔｉｏｎ）で制作される。このため、従来のＳＤＲ映像に用いられた画質調整を用いても、ＨＤＲ映像の輝度を効果的に調整することは難しい。
【００１５】
なお、ＰＱカーブは、ＳＭＰＴＥ  ２０８４規格で定義されているＥＯＴＦである。ＨＬＧは、ＡＲＩＢ−ＳＴＤ  Ｂ６７規格、ＩＴＵ−Ｒ  ＢＴ．２１００規格等で定義されているＯＥＴＦであり、暗部（低輝度領域）において、ＳＤＲに対応したＯＥＴＦと互換性があるＯＥＴＦである。
【００１６】
この理由について、図８を用いて以下に説明する。図８は、課題を説明するための図である。
【００１７】
ＳＤＲ映像を示すＳＤＲ信号は、映像の輝度が相対輝度基準（相対値）で定義されている。ＳＤＲ信号は、映像制作時において映像の最大輝度が１００ｎｉｔ程度を基準として、作成されることが多い。また、ＳＤＲ映像の表示に対応するＳＤＲ表示装置で表示可能な最大輝度は、１００ｎｉｔを超える輝度（例えば、４００ｎｉｔ、等）であることが多い。これらのことにより、ＳＤＲ表示装置は、ＳＤＲ映像を表示する場合、表示モードに応じた最大輝度まで、ＳＤＲ映像の輝度を、その相対的な関係を維持したまま拡大することで、輝度を上げてＳＤＲ映像を表示することができる。例えば、図８に示すように、ＳＤＲ映像の最大輝度である１００ｎｉｔをそのまま１００ｎｉｔで表示する表示モードを第１表示モードとし、ＳＤＲ映像の最大輝度を４００ｎｉｔまで拡大して表示する表示モードを第２表示モードとする。ＳＤＲ表示装置では、第１表示モードから第２表示モードに切り替えることで、ＳＤＲ表示装置に表示させるＳＤＲ映像を、輝度を上げて表示することができる。ＳＤＲ信号は、相対輝度基準で定義された映像信号であるので、ＳＤＲ表示装置では、図８に示すように表示モードを切り替えることで、各輝度を例えば４倍にして、ＳＤＲ映像を表示することができる。つまり、ＳＤＲ信号では、各輝度を定数倍（Ｋ倍）にして輝度を調整することが容易にできる。このように、ＳＤＲ表示装置では、ＳＤＲ信号が入力された場合、表示モードを切り替える機能により、図８に示すように、輝度を上げてＳＤＲ映像を表示することが容易にできる。
【００１８】
ＨＤＲ映像を示すＨＤＲ信号は、後述する図２Ａの（ａ）に示すように、ＰＱ特性を有する場合、輝度の最大値が１０，０００ｎｉｔの信号であり、かつ、映像の輝度が絶対輝度基準（絶対値）で定義されている。一方、ＨＤＲ表示装置で表示可能な輝度は、最大でも１，０００ｎｉｔ程度のものが多く、ほとんどのＨＤＲ表示装置は、最大値の１０，０００ｎｉｔまでのフルレンジの輝度を表示する能力がない。つまり、ＨＤＲ表示装置は、ＨＤＲ信号の映像をフルレンジで表示させる場合、映像の輝度がＨＤＲ表示装置で表示可能な最大輝度を超える明るい領域において、輝度が飽和するため、映像を歪んだ状態で表示してしまう。
【００１９】
また、明るい部屋等の明るい視聴環境下では、ユーザは、映像の暗部（低輝度領域）を視認しにくくなる。しかし、ＨＤＲ表示装置は、表示可能な最大輝度が１，０００ｎｉｔのものが多く、ＨＤＲ信号の映像の最大輝度値（１０，０００ｎｉｔ）を表示することが困難なため、暗部を視認しやすくするためにＨＤＲ映像を明るく調整することが難しい。このため、ＨＤＲ表示装置で表示されるＨＤＲ映像は、ＳＤＲ信号において第２表示モードに調整されて表示されたＳＤＲ映像と比較して、図８に示すように、暗く見えてしまう場合がある。
【００２０】
また、ＨＤＲ信号は、図８に示すように、コード値と輝度との対応を表すカーブがＳＤＲ信号よりも急峻である。そのため、ＨＤＲ信号の輝度を調整するために各輝度に係数を乗算すると、明部（高輝度領域）では輝度が図２Ａの（ａ）に示すΔＬ１のように大きく変わるが、暗部（低輝度領域）では輝度の変化が図２Ａの（ａ）に示すΔＬ２のようにΔＬ１と比較して小さい。なお、図２Ａでは、ΔＬ２を拡大図で示しているが、ΔＬ２は拡大してもΔＬ１と比較して小さいことがわかる。つまり、ＳＤＲ信号に対する調整と同様の調整（各輝度を定数倍にする調整）をＨＤＲ信号に行っても、ＨＤＲ信号では、暗部と明部とで輝度の変化幅にばらつきが生じ、映像が歪んでしまう。
【００２１】
このように、従来技術では、ＨＤＲ映像の輝度を効果的に調整することは難しく、ＨＤＲ映像を破綻無く表示装置に表示させることは困難である。そこで、本開示は、ＰＱ特性またはＨＬＧ特性等を有するＨＤＲのＯＥＴＦを用いて制作されたＨＤＲ映像を示すＨＤＲ映像信号を効果的に調整することができる調整装置、調整方法およびプログラムを開示する。
【００２２】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００２３】
なお、添付図面および以下で説明する実施の形態は、当業者が本開示を十分に理解するために提供されるのであって、いずれも本開示の一例を示すものである。以下の実施の形態で示される数値、形状、材料、構成要素、構成要素の配置位置および接続形態、ステップ、ステップの順序、等は、一例であり、これらにより特許請求の範囲に記載の主題を限定することは意図されていない。また、以下の実施の形態における構成要素のうち、最上位概念を示す独立請求項に記載されていない構成要素は、独立請求項に示された構成要素に任意に付加可能な構成要素である。
【００２４】
また、各図は、必ずしも厳密に図示されたものではなく、本開示をわかりやすく示すために適宜省略等を行った模式図である。また、各図において、実質的に同じ構成要素については同じ符号を付し、説明を省略または簡略化する場合がある。
【００２５】
（実施の形態１）
以下、図１〜図９を用いて、実施の形態１を説明する。
【００２６】
［１−１．構成］
図１は、実施の形態１におけるＡＶシステム１の構成の一例を模式的に示す図である。
【００２７】
図１に示すように、ＡＶシステム１は、調整装置１００と表示装置２００とを備える。調整装置１００と表示装置２００とは、デジタルインターフェース（例えば、ＨＤＭＩ（登録商標）：Ｈｉｇｈ−Ｄｅｆｉｎｉｔｉｏｎ  Ｍｕｌｔｉｍｅｄｉａ  Ｉｎｔｅｒｆａｃｅ）に対応したケーブル３００により、相互に通信可能に接続されている。なお、調整装置１００と表示装置２００とは、デジタルインターフェースを用いて相互に接続されていればよく、その接続形態は、有線であってもよく無線であってもよい。
【００２８】
調整装置１００は、ソース機器であり、例えば、光ディスクに記録されている映像データを再生する再生装置（例えば、Ｕｌｔｒａ  ＨＤ（Ｈｉｇｈ  Ｄｅｆｉｎｉｔｉｏｎ）  Ｂｌｕ−ｒａｙ（登録商標）プレーヤ）である。調整装置１００は、ＶＯＤ（Ｖｉｄｅｏ  Ｏｎ  Ｄｅｍａｎｄ）によりネットワークを通して配信される、ＨＤＲに対応した映像データを受信し、受信した映像データを表示装置２００に提供するＵｌｔｒａ  ＨＤ  Ｂｌｕ−ｒａｙ（登録商標）プレーヤまたはＳＴＢ（Ｓｅｔ  Ｔｏｐ  Ｂｏｘ）であってもよい。調整装置１００は、第１映像データを光ディスクまたはＶＯＤから取得し、取得した第１映像データに含まれる第１映像信号を第２映像信号に変換し、変換することにより得られた第２映像信号を含む第２映像データを、ケーブル３００を介して、表示装置２００に出力する。
【００２９】
表示装置２００は、シンク機器であり、例えば、ＨＤＲ映像を表示することが可能なＴＶ（以下、「ＨＤＲ  ＴＶ」という）である。表示装置２００は、ケーブル３００を介して第２映像データを取得し、取得した第２映像データに含まれる第２映像信号の映像（ＨＤＲ映像）を表示する。
【００３０】
ここで、ＥＯＴＦについて、図２Ａおよび図２Ｂを用いて説明する。
【００３１】
図２Ａは、ＨＤＲおよびＳＤＲのそれぞれに対応したＥＯＴＦの例について示す図である。図２Ａの（ａ）は、ＨＤＲに対応したＥＯＴＦの例（ＰＱカーブ）を示す図であり、図２Ａの（ｂ）は、ＳＤＲに対応したＥＯＴＦの例（ガンマカーブ）を示す図である。
【００３２】
図２Ａに示すように、ＥＯＴＦは、コード値と輝度値との対応を示し、コード値を輝度値に変換するものである。つまり、ＥＯＴＦは、複数のコード値と輝度値との対応関係を示す関係情報である。
【００３３】
図２Ｂは、ＨＤＲおよびＳＤＲのそれぞれに対応したＯＥＴＦの例について示す図である。図２Ｂの（ａ）は、ＨＤＲに対応したＯＥＴＦの例（ＰＱカーブの逆特性）を示す図であり、図２Ｂの（ｂ）は、ＳＤＲに対応したＯＥＴＦの例（ガンマカーブの逆特性）を示す図である。
【００３４】
ＯＥＴＦは、輝度値とコード値との対応を示し、ＥＯＴＦとは逆に、輝度値をコード値に変換するものである。つまり、ＯＥＴＦは、輝度値と複数のコード値との対応関係を示す関係情報である。例えば、ＨＤＲに対応した映像の輝度値を１０ビットの階調のコード値で表現する場合、１０，０００ｎｉｔまでのＨＤＲの輝度範囲における輝度値は、量子化されて、０〜１０２３までの１０２４個の整数値にマッピングされる。つまり、ＯＥＴＦに基づいて輝度値が量子化されることで、１０，０００ｎｉｔまでの輝度範囲の輝度値（ＨＤＲに対応した映像の輝度値）は、１０ビットのコード値であるＨＤＲ信号に変換される。ＨＤＲに対応したＥＯＴＦ（以下、「ＨＤＲのＥＯＴＦ」という）またはＨＤＲに対応したＯＥＴＦ（以下、「ＨＤＲのＯＥＴＦ」という）においては、ＳＤＲに対応したＥＯＴＦ（以下、「ＳＤＲのＥＯＴＦ」という）またはＳＤＲに対応したＯＥＴＦ（以下、「ＳＤＲのＯＥＴＦ」という）よりも高い輝度値を表現することが可能であり、例えば、図２Ａおよび図２Ｂに示した例では、ＨＤＲの輝度の最大値（ピーク輝度）は、１０，０００ｎｉｔである。つまり、ＨＤＲは、ＳＤＲの輝度を全て含み、ＨＤＲの輝度の最大値は、ＳＤＲの輝度の最大値より大きい。ＨＤＲは、ＳＤＲの輝度の最大値である１００ｎｉｔから、ＨＤＲの輝度の最大値（例えば１０，０００ｎｉｔ）まで、輝度の最大値を拡大したダイナミックレンジである。
【００３５】
本実施の形態における第１映像信号は、ＨＤＲに対応したＨＤＲ信号である。グレーディング後の画像は、ＨＤＲのＯＥＴＦが用いられることで非リニアな第１映像信号に変換され（図２Ｂの（ａ）参照）、当該第１映像信号に基づいて画像符号化等が行われ、映像のストリームが生成される。例えば、表示装置２００は、第１映像信号の再生時には、ストリームの復号結果を、ＨＤＲのＥＯＴＦを用いてリニアな信号（リニア信号）に変換し（図２Ａの（ａ）参照）、その信号に基づくＨＤＲ映像を表示する。
【００３６】
図３は、実施の形態１における調整装置１００の機能構成の一例を模式的に示すブロック図である。
【００３７】
図３に示すように、調整装置１００は、取得部１１０と、ＹＵＶ−ＲＧＢ変換部１２０と、変換部１３０と、ＲＧＢ−ＹＵＶ変換部１４０と、出力部１５０と、を備える。
【００３８】
取得部１１０は、第１のＯＥＴＦで生成された非リニアな第１映像信号を含む第１映像データを取得する。第１映像信号は、ＨＤＲ映像信号である。
【００３９】
取得部１１０は、上述したように、例えば、光ディスクに記録されている第１映像データを再生することで第１映像データを取得してもよいし、あるいは、ネットワークまたは放送波を通して配信されるＨＤＲに対応した第１映像データを受信することで第１映像データを取得してもよい。第１映像データは、第１映像信号の他に、当該第１映像信号の特性を示す第１メタデータを含んでいてもよい。つまり、取得部１１０は、第１映像信号と共に第１メタデータを取得してもよい。なお、取得部１１０は、例えば、光ディスクに記録されているデータを読み込んで再生する光ディスクドライブにより実現されていてもよいし、あるいは、インターネット等のネットワークを介してコンテンツ・プロバイダに接続されるための通信インターフェースにより実現されていてもよい。また、取得部１１０は、放送波を受信するチューナ等により実現されていてもよい。
【００４０】
第１メタデータの具体例については、実施の形態２において説明する。
【００４１】
ＹＵＶ−ＲＧＢ変換部１２０は、ＹＵＶ信号で構成される映像信号を、ＲＧＢ信号に変換する。ＹＵＶ−ＲＧＢ変換部１２０は、第１映像信号を、ＹＵＶ信号からＲＧＢ信号に変換し、変換することにより得られた、第１映像信号を構成する第１Ｒ信号、第１Ｇ信号および第１Ｂ信号を出力する。なお、ＹＵＶ−ＲＧＢ変換部１２０は、プログラムを実行するプロセッサおよび当該プログラムが記録されているメモリにより実現されてもよいし、専用回路（例えば、ＩＣ（Ｉｎｔｅｇｒａｔｅｄ  Ｃｉｒｃｕｉｔ）またはＬＳＩ（Ｌａｒｇｅ−Ｓｃａｌｅ  Ｉｎｔｅｇｒａｔｉｏｎ）を含む回路）により実現されてもよい。
【００４２】
変換部１３０は、取得部１１０において取得された第１映像データに含まれる第１映像信号を、非リニアな第２映像信号に変換する変換処理を行う。ここで、第２映像信号は、（ｉ）当該第１映像信号が、第１のＯＥＴＦの逆特性が用いられることでリニア信号に変換され、かつ、（ｉｉ）当該リニア信号に対して入力値と出力値との関係がリニアとなるゲイン変更を含む調整処理が行われ、かつ、（ｉｉｉ）当該調整処理が行われることにより得られた調整後リニア信号が、所定のフォーマットに応じた第２のＯＥＴＦが用いられることで変換される、ことにより得られる信号である。変換部１３０は、本実施の形態では、第１映像信号を、ＹＵＶ−ＲＧＢ変換部１２０においてＲＧＢ信号に変換されることにより得られた、第１Ｒ信号、第１Ｇ信号および第１Ｂ信号のそれぞれに上記変換処理を行うことで、第２Ｒ信号、第２Ｇ信号および第２Ｂ信号により構成される第２映像信号に変換する。
【００４３】
変換部１３０は、具体的には、第１変換部１３１、第２変換部１３２および第３変換部１３３を有する。
【００４４】
図４は、実施の形態１における変換部１３０の第１変換部１３１、第２変換部１３２および第３変換部１３３による変換処理について説明するための模式図である。
【００４５】
第１変換部１３１は、図４の（ａ）に示すように、取得部１１０で取得された第１映像信号を、第１のＯＥＴＦの逆特性を用いてリニア信号に変換する。本実施の形態では、第１変換部１３１は、第１Ｒ信号、第１Ｇ信号および第１Ｂ信号を、それぞれ、第１のＯＥＴＦの逆特性を用いてリニア信号に変換する、第１Ｒ信号変換部１３１Ｒ、第１Ｇ信号変換部１３１Ｇおよび第１Ｂ信号変換部１３１Ｂを有する。
【００４６】
第２変換部１３２は、図４の（ｂ）に示すように、第１変換部１３１で得られたリニア信号に対して調整処理を行う。調整処理は、第１変換部１３１で得られたリニア信号に対して入力値と出力値との関係がリニアとなるゲイン変更を行う処理である。つまり、調整処理は、入力値をＡ倍（Ａ＞１）する、または、入力値をＢ倍（Ｂ≦１）するゲイン変更を行う。調整処理は、全てのリニア信号において上記ゲイン変更を行う。本実施の形態では、第２変換部１３２は、第１Ｒ信号、第１Ｇ信号および第１Ｂ信号のそれぞれが第１のＯＥＴＦの逆特性を用いて変換されることにより得られたリニア信号について調整処理を行う、第２Ｒ信号変換部１３２Ｒ、第２Ｇ信号変換部１３２Ｇおよび第２Ｂ信号変換部１３２Ｂを有する。
【００４７】
第３変換部１３３は、図４の（ｃ）に示すように、第２変換部１３２で調整処理が行われることにより得られた調整後リニア信号を、第２のＯＥＴＦを用いて第２映像信号に変換する。本実施の形態では、第３変換部１３３は、ＲＧＢ信号で構成される調整後リニア信号のＲＧＢのそれぞれを第２のＯＥＴＦを用いて変換する、第３Ｒ信号変換部１３３Ｒ、第３Ｇ信号変換部１３３Ｇおよび第３Ｂ信号変換部１３３Ｂを有する。第３変換部１３３における第２のＯＥＴＦを用いた変換の結果、第３Ｒ信号変換部１３３Ｒは第２Ｒ信号を出力し、第３Ｇ信号変換部１３３Ｇは第２Ｇ信号を出力し、第３Ｂ信号変換部１３３Ｂは第２Ｂ信号を出力する。第３変換部１３３において出力された第２Ｒ信号、第２Ｇ信号および第２Ｂ信号は、それぞれ、第２映像信号を構成する信号である。
【００４８】
なお、変換部１３０に入力される第１映像信号は、ＰＱ特性のＨＤＲ信号であってもよいし、ＨＬＧ特性のＨＤＲ信号であってもよい。第１映像信号が、ＰＱ特性のＨＤＲ信号である場合、第１のＯＥＴＦはＰＱのＥＯＴＦの逆特性となるので、第１変換部１３１は、第１のＯＥＴＦの逆特性としてＰＱのＥＯＴＦを用いて、非リニアな第１映像信号をリニア信号に変換する。第１映像信号が、ＨＬＧ特性のＨＤＲ信号である場合、第１のＯＥＴＦはＨＬＧのＯＥＴＦとなるので、第１変換部１３１は、第１のＯＥＴＦの逆特性としてＨＬＧのＯＥＴＦの逆特性を用いて、非リニアな第１映像信号をリニア信号に変換する。
【００４９】
また、変換部１３０から出力される第２映像信号は、ＰＱ特性のＨＤＲ信号であってもよいし、ＨＬＧ特性のＨＤＲ信号であってもよい。変換部１３０は、例えば、表示装置２００が対応している特性のＨＤＲ信号で出力してもよい。第２映像信号としてＰＱ特性のＨＤＲ信号を出力する場合、第３変換部１３３は、第２のＯＥＴＦとしてＰＱのＥＯＴＦの逆特性を用いて、非リニアな第２映像信号を生成する。第２映像信号としてＨＬＧ特性のＨＤＲ信号を出力する場合、第３変換部１３３は、第２のＯＥＴＦとしてＨＬＧのＯＥＴＦを用いて、非リニアな第２映像信号を生成する。すなわち、本実施の形態において、所定のフォーマットはＰＱまたはＨＬＧであってもよく、所定のフォーマットに応じた第２のＯＥＴＦは、ＰＱのＥＯＴＦの逆特性、または、ＨＬＧのＯＥＴＦであってもよい。
【００５０】
このように、変換部１３０に入力されるＨＤＲ信号の特性と、変換部１３０から出力されるＨＤＲ信号の特性との組合せとして、図５に示すように４通りの組合せが考えられる。図５は、実施の形態１における、調整装置１００に入力されるＨＤＲ信号の特性と調整装置１００から出力されるＨＤＲ信号の特性との組合せを示す図である。
【００５１】
なお、変換部１３０は、例えば、プログラムを実行するプロセッサおよび当該プログラムが記録されているメモリによって実現されてもよいし、専用回路（例えば、ＩＣまたはＬＳＩを含む回路）により実現されてもよい。
【００５２】
ＲＧＢ−ＹＵＶ変換部１４０は、ＲＧＢ信号で構成される映像信号を、ＹＵＶ信号に変換する。ＲＧＢ−ＹＵＶ変換部１４０は、第３変換部１３３から出力された第２映像信号を、ＲＧＢ信号からＹＵＶ信号に変換する。これにより、ＲＧＢ−ＹＵＶ変換部１４０は、変換することにより得られたＹＵＶ信号で構成される第２映像信号を出力する。なお、ＲＧＢ−ＹＵＶ変換部１４０は、例えば、プログラムを実行するプロセッサおよび当該プログラムが記録されているメモリによって実現されてもよいし、専用回路（例えば、ＩＣまたはＬＳＩを含む回路）により実現されてもよい。
【００５３】
出力部１５０は、ＲＧＢ−ＹＵＶ変換部１４０において変換されることにより得られた第２映像信号を出力する。本実施の形態では、出力部１５０は、第２映像信号および第１メタデータを含む第２映像データを出力する。出力部１５０は、例えば、デジタルインターフェースによって実現されてもよい。
【００５４】
［１−２．動作］
以上のように構成された調整装置１００について、その動作を以下に説明する。
【００５５】
図６は、実施の形態１における調整装置１００の動作（調整方法）の一例を示すフローチャートである。
【００５６】
調整装置１００では、取得部１１０が第１映像信号を取得する（ステップＳ１０１）。
【００５７】
ＹＵＶ−ＲＧＢ変換部１２０は、取得部１１０において取得された第１映像信号を、ＹＵＶ信号からＲＧＢ信号に変換する（ステップＳ１０２）。
【００５８】
変換部１３０は、ＹＵＶ−ＲＧＢ変換部１２０においてＲＧＢ信号に変換されることにより得られた、第１映像信号を構成する第１Ｒ信号、第１Ｇ信号および第１Ｂ信号のそれぞれに調整処理を行うことで、第１映像信号を、第２Ｒ信号、第２Ｇ信号および第２Ｂ信号により構成される第２映像信号に変換する変換処理を行う（ステップＳ１０３）。
【００５９】
ここで、ステップＳ１０３の変換処理の詳細について、図７を用いて説明する。
【００６０】
図７は、実施の形態１における変換処理の一例を示すフローチャートである。
【００６１】
変換処理では、変換部１３０の第１変換部１３１が、第１映像信号を、第１のＯＥＴＦの逆特性を用いてリニア信号に変換する（ステップＳ１１１）。
【００６２】
変換部１３０の第２変換部１３２は、第１変換部１３１で得られたリニア信号に対して調整処理を行う（ステップＳ１１２）。
【００６３】
変換部１３０の第３変換部１３３は、第２変換部１３２で調整処理が行われることにより得られた調整後リニア信号を、第２のＯＥＴＦを用いて非リニアな第２映像信号に変換する（ステップＳ１１３）。
【００６４】
上述のように、変換部１３０において、ＲＧＢ信号により構成される第１映像信号に対して、ステップＳ１１１〜Ｓ１１３の変換処理が行われることにより、ＲＧＢ信号により構成される第２映像信号が得られる。
【００６５】
図６に戻り、説明を続ける。変換部１３０での変換処理が終わると、ＲＧＢ−ＹＵＶ変換部１４０は、第２映像信号を、ＲＧＢ信号からＹＵＶ信号に変換する（ステップＳ１０４）。
【００６６】
出力部１５０は、ＲＧＢ−ＹＵＶ変換部１４０において変換されることにより得られた第２映像信号を出力する（ステップＳ１０５）。
【００６７】
［１−３．効果、等］
以上のように、本実施の形態における調整装置は、第１のＯＥＴＦが用いられることで生成された非リニアな第１映像信号を取得する取得部と、取得部において取得された第１映像信号を、（ｉ）当該第１映像信号が、第１のＯＥＴＦの逆特性が用いられることでリニア信号に変換され、かつ、（ｉｉ）当該リニア信号に対して入力値と出力値との関係がリニアとなるゲイン変更を含む調整処理が行われ、かつ、（ｉｉｉ）当該調整処理が行われることにより得られた調整後リニア信号が、所定のフォーマットに応じた第２のＯＥＴＦが用いられることで変換される、ことにより得られる、非リニアな第２映像信号に変換する変換処理を行う変換部と、変換部において変換されることにより得られた第２映像信号を出力する出力部と、を備える。
【００６８】
本実施の形態における調整方法は、第１のＯＥＴＦで生成された非リニアな第１映像信号を第２映像信号に変換し、当該第２映像信号を出力する調整装置が行う調整方法である。当該調整方法では、第１映像信号を取得し、当該取得において取得された第１映像信号を、（ｉ）当該第１映像信号が、第１のＯＥＴＦの逆特性が用いられることでリニア信号に変換され、かつ、（ｉｉ）当該リニア信号に対して入力値と出力値との関係がリニアとなるゲイン変更を含む調整処理が行われ、かつ、（ｉｉｉ）当該調整処理が行われることにより得られた調整後リニア信号が、所定のフォーマットに応じた第２のＯＥＴＦが用いられることで変換される、ことにより得られる、非リニアな第２映像信号に変換し、当該変換により得られた第２映像信号を出力する。
【００６９】
なお、調整装置１００は調整装置の一例である。取得部１１０は取得部の一例である。変換部１３０は変換部の一例である。出力部１５０は出力部の一例である。図６に示したフローチャートは、調整装置が行う調整方法の一例である。
【００７０】
例えば、実施の形態１に示した調整装置１００は、取得部１１０と、変換部１３０と、出力部１５０と、を備える。取得部１１０は、第１のＯＥＴＦによって生成された非リニアな第１映像信号を取得する。変換部１３０は、取得部１１０において取得された第１映像信号を、非リニアな第２映像信号に変換する変換処理を行う。非リニアな第２映像信号は、（ｉ）当該第１映像信号が、第１のＯＥＴＦの逆特性が用いられることでリニア信号に変換され、かつ、（ｉｉ）当該リニア信号に対して入力値と出力値との関係がリニアとなるゲイン変更を含む調整処理が行われ、かつ、（ｉｉｉ）当該調整処理が行われることにより得られた調整後リニア信号が、所定のフォーマットに応じた第２のＯＥＴＦが用いられることで変換される、ことにより得られる。出力部１５０は、変換部１３０において第１映像信号が変換されることにより得られた第２映像信号を出力する。
【００７１】
当該調整装置において、変換部は、取得部で取得された第１映像信号を、第１のＯＥＴＦの逆特性を用いてリニア信号に変換する第１変換部と、第１変換部で得られたリニア信号に対して調整処理を行う第２変換部と、第２変換部で調整処理が行われることにより得られた調整後リニア信号を、第２のＯＥＴＦを用いて第２映像信号に変換する第３変換部と、を有してもよい。
【００７２】
なお、第１変換部１３１は第１変換部の一例である。第２変換部１３２は第２変換部の一例である。第３変換部１３３は第３変換部の一例である。
【００７３】
例えば、実施の形態１に示した例では、調整装置１００において、変換部１３０は、第１変換部１３１と、第２変換部１３２と、第３変換部１３３と、を有する。第１変換部１３１は、取得部１１０で取得された第１映像信号を、第１のＯＥＴＦの逆特性を用いてリニア信号に変換する。第２変換部１３２は、第１変換部１３１で得られたリニア信号に対して調整処理を行う。第３変換部１３３は、第２変換部１３２で調整処理が行われることにより得られた調整後リニア信号を、第２のＯＥＴＦを用いて第２映像信号に変換する。
【００７４】
このように構成された調整装置１００は、第１映像信号をリニア信号に変換し、リニア信号に対してゲイン変更を行うことで映像の輝度を調整し、調整後リニア信号を非リニアな第２映像信号に変換して出力する。つまり、調整装置１００は、第１映像信号に対応するリニア信号を調整しているため、暗部と明部とにおける輝度のバラツキが少なくなるように調整することができる。このため、例えば、明るい視聴環境で映像の暗部を視認しにくい場合には、映像の輝度をバランスよくアップさせることができ、映像の輝度を効果的に明るくすることができる。
【００７５】
当該調整装置において、第１映像信号および前記第２映像信号は、ＨＤＲ映像信号であってもよい。
【００７６】
例えば、実施の形態１に示した例では、調整装置１００において、第１映像信号および第２映像信号は、ＨＤＲ映像信号である。
【００７７】
このように構成された調整装置１００では、映像信号がＨＤＲに対応しているＨＤＲ信号である場合に、映像の輝度を適切に調整したＨＤＲ信号を出力することができる。これにより、表示装置２００に、効果的に輝度が調整されたＨＤＲ映像を表示させることが容易にできる。
【００７８】
当該調整装置は、さらに、ＹＵＶ信号で構成される映像信号を、ＲＧＢ信号に変換するＹＵＶ−ＲＧＢ変換部と、ＲＧＢ信号で構成される映像信号を、ＹＵＶ信号に変換するＲＧＢ−ＹＵＶ変換部と、を備えてもよい。ＹＵＶ−ＲＧＢ変換部は、第１映像信号を、ＹＵＶ信号からＲＧＢ信号に変換してもよい。変換部は、ＹＵＶ−ＲＧＢ変換部においてＲＧＢ信号に変換されることにより得られた、第１映像信号を構成する第１Ｒ信号、第１Ｇ信号および第１Ｂ信号のそれぞれに当該変換処理を行うことで、第１映像信号を、第２Ｒ信号、第２Ｇ信号および第２Ｂ信号により構成される第２映像信号に変換してもよい。ＲＧＢ−ＹＵＶ変換部は、変換部において第１映像信号が変換されることにより得られた第２映像信号を、ＲＧＢ信号からＹＵＶ信号に変換してもよい。
【００７９】
なお、ＹＵＶ−ＲＧＢ変換部１２０はＹＵＶ−ＲＧＢ変換部の一例である。ＲＧＢ−ＹＵＶ変換部１４０はＲＧＢ−ＹＵＶ変換部の一例である。
【００８０】
例えば、実施の形態１に示した例では、調整装置１００は、さらに、ＹＵＶ−ＲＧＢ変換部１２０と、ＲＧＢ−ＹＵＶ変換部１４０と、を備える。ＹＵＶ−ＲＧＢ変換部１２０は、ＹＵＶ信号で構成される映像信号を、ＲＧＢ信号に変換する。ＲＧＢ−ＹＵＶ変換部１４０は、ＲＧＢ信号で構成される映像信号を、ＹＵＶ信号に変換する。ＹＵＶ−ＲＧＢ変換部１２０は、第１映像信号を、ＹＵＶ信号からＲＧＢ信号に変換する。変換部１３０は、ＹＵＶ−ＲＧＢ変換部１２０においてＲＧＢ信号に変換されることにより得られた、第１映像信号を構成する第１Ｒ信号、第１Ｇ信号および第１Ｂ信号のそれぞれに当該変換処理を行うことで、第１映像信号を、第２Ｒ信号、第２Ｇ信号および第２Ｂ信号により構成される第２映像信号に変換する。ＲＧＢ−ＹＵＶ変換部１４０は、変換部１３０において第１映像信号が変換されることにより得られた第２映像信号を、ＲＧＢ信号からＹＵＶ信号に変換する。
【００８１】
このように構成された調整装置１００は、ＲＧＢ信号に対して上記した変換処理を行うため、映像を構成する各画素の色の関係（ＲＧＢの比率）を維持したまま映像の輝度の調整を行うことができる。
【００８２】
当該調整装置において、第１映像信号および第２映像信号は、ＰＱ特性、または、ＨＬＧ特性を有していてもよい。
【００８３】
例えば、実施の形態１に示した調整装置１００において、第１映像信号および第２映像信号は、ＰＱ特性、または、ＨＬＧ特性を有する。
【００８４】
このように構成された調整装置１００は、ＰＱ特性、または、ＨＬＧ特性を有する第１映像信号を、ＰＱ特性、または、ＨＬＧ特性を有する第２映像信号に変換することが容易にできる。これにより、映像信号のＨＤＲの特性および表示装置２００が対応しているＨＤＲの特性に応じて、変換部１３０における変換処理を適切に行うことができる。
【００８５】
当該調整装置は、デジタルインターフェースによって表示装置と接続されてもよい。出力部は、デジタルインターフェースを介して、表示装置に第２映像信号を出力してもよい。
【００８６】
なお、ＨＤＭＩ（登録商標）に対応したケーブル３００は、デジタルインターフェースの一例である。
【００８７】
例えば、実施の形態１に示した例では、調整装置１００は、ケーブル３００によって表示装置２００と接続されている。出力部１５０は、ケーブル３００を介して、表示装置２００に第２映像信号を出力する。
【００８８】
［１−４．実施の形態１の変形例］
実施の形態１では、変換部１３０が、調整処理として、リニア信号の入力値と出力値との関係がリニアとなるゲイン変更をリニア信号の全領域に対して行う構成例を示したが、本開示は何らこの構成例に限定されない。
【００８９】
図９は、実施の形態１における調整処理の一例を示す図である。
【００９０】
例えば、図９に示すように、調整処理において、ゲインを４倍にして輝度を上げるゲイン変更を行う場合に、全ての入力値に対して出力値が４倍となるゲイン変更を行ってしまうと、以下の問題が生じる。つまり、ゲイン変更により、映像の暗部については明るくして表示させることができるが、映像の明部については元々明るい領域であるのでゲイン変更を行うことで輝度が表示装置の表示可能な最大輝度値以上となってしまい、当該最大輝度値以上の領域の全てが同じ輝度値で表示されることになる。このため、当該領域における映像の階調を表示装置２００において適切に表示することができない。
【００９１】
このため、図９に示すように、ゲインを上げる変換を行う場合、変換部１３０は、リニア信号の所定の閾値（図９に示す例では、例えば１００ｎｉｔ）未満の範囲の入力値に対して入力値と出力値との関係がリニアとなるゲイン変更を行ってもよい。この場合、変換部１３０は、所定の閾値以上の範囲の入力値に対して、入力値と出力値の関係が単調増加となる単調増加変換を行ってもよい。
【００９２】
単調増加変換は、例えば、図９に示すように入力値と出力値との関係が直線となる変換であってもよい。つまり、調整処理では、所定の閾値未満において傾きがＡとなり、所定の閾値以上において傾きがＡよりも小さいＢとなるニーカーブによる変換を行ってもよい。また、単調増加変換は、例えば、対数カーブ等の入力値と出力値との関係が曲線となる変換であってもよい。
【００９３】
また、調整処理において、入力値の最大値に対応する出力値の最大値は、第１映像データの映像（コンテンツ）のピーク輝度であってもよいし、または表示装置２００が表示可能な最大輝度値であってもよいし、または予め定められた輝度（例えば、５００ｎｉｔ、１，０００ｎｉｔ、等）であってもよい。
【００９４】
また、図９示すように、調整処理において、ゲインを１より小さい値（例えば、０．５倍）にして入力値よりも出力値を下げる調整処理を行う場合、ゲインを１より大きくして入力値よりも出力値を上げる調整処理を行う場合に生じる映像の輝度値が飽和する現象が起きにくい。このため、全ての入力値に対して出力値を下げる調整処理を行ってもよい。
【００９５】
（実施の形態２）
次に、図１０〜図１１を用いて、実施の形態２を説明する。なお、実施の形態２を含む以下の実施の形態において、実施の形態１で説明した構成要素と実質的に同じ構成要素には、その構成要素と同じ符号を付与し、説明を省略する。
【００９６】
［２−１．構成］
図１０は、実施の形態２における調整装置１００ａの機能構成の一例を模式的に示すブロック図である。
【００９７】
実施の形態２における調整装置１００ａの構成は、実施の形態１で図３を用いて説明した調整装置１００の構成と実質的に同じであるので、詳細な説明を省略する。ただし、実施の形態２の調整装置１００ａは、実施の形態１の調整装置１００と比較して、さらに、変更部１６０を備える点が異なる。
【００９８】
変更部１６０は、取得部１１０で取得された第１メタデータを、変換部１３０において第１映像信号が変換されることにより得られた第２映像信号の特性を示す第２メタデータに変更する。つまり、変更部１６０は、変換部１３０での第１映像信号に対する変換内容に応じて、第１映像データに付随する第１メタデータを変更する。変更部１６０は、第１メタデータを変更することにより得られた第２メタデータを出力部１５０に出力する。なお、変更部１６０は、例えば、プログラムを実行するプロセッサおよび当該プログラムが記録されているメモリによって実現されてもよいし、専用回路（例えば、ＩＣまたはＬＳＩを含む回路）により実現されてもよい。
【００９９】
ここで、第１メタデータは、例えば、ＭａｘＣＬＬ（Ｍａｘｉｍｕｍ  Ｃｏｎｔｅｎｔ  Ｌｉｇｈｔ  Ｌｅｖｅｌ）であってもよいし、ＭａｘＦＡＬＬ（Ｍａｘｉｍｕｍ  Ｆｒａｍｅ−Ａｖｅｒａｇｅ  Ｌｉｇｈｔ  Ｌｅｖｅｌ）であってもよい。
【０１００】
ＭａｘＣＬＬとは、コンテンツ内の全フレームにおける、画素の最大輝度を示す値である。また、ＭａｘＦＡＬＬとは、コンテンツ内の全フレームにおける、フレーム内の平均輝度の最大値を示す値である。
【０１０１】
つまり、第１メタデータは、第１映像信号の映像全体（コンテンツ内の全フレーム）に含まれる画素の最大輝度値（ＭａｘＣＬＬ）である第１最大輝度値、および、第１映像信号の映像を構成する複数のフレーム（コンテンツ内の全フレーム）のそれぞれのフレームの平均輝度の最大値（ＭａｘＦＡＬＬ）である第１最大フレーム平均輝度値、の少なくとも１つを含んでいてもよい。
【０１０２】
よって、変更部１６０は、上記の第１メタデータを第２メタデータへ変更する場合、（ｉ）第１最大輝度値から、第２映像信号の映像全体（コンテンツ内の全フレーム）に含まれる画素の最大輝度値である第２最大輝度値への変更、および、（ｉｉ）第１最大フレーム平均輝度値から、第２映像信号の映像を構成する複数のフレーム（コンテンツ内の全フレーム）のそれぞれのフレームの平均輝度の最大値である第２最大フレーム平均輝度値への変更、の少なくとも１つを行ってもよい。なお、変更部１６０は、第１映像信号と第２映像信号とにおいて、ＭａｘＣＬＬおよびＭａｘＦＡＬＬが変更されていれば、上記のメタデータの変更を行うが、変更されていなければ上記のメタデータの変更を行わなくてもよい。
【０１０３】
また、第１メタデータは、ＭａｘＣＬＬおよびＭａｘＦＡＬＬ以外の他の静的メタデータであってもよい。第１メタデータは、例えば、第１映像データが生成される基になったマスター映像が生成されたときに使用されたマスターモニターの最大輝度値等のような映像の輝度に関連するメタデータであってもよい。
【０１０４】
出力部１５０は、第２映像信号および第２メタデータを含むデータを第２映像データとして出力する。
【０１０５】
［２−２．動作］
以上のように構成された実施の形態２の調整装置１００ａについて、図１１を用いてその動作を以下に説明する。
【０１０６】
図１１は、実施の形態２における調整装置１００ａの動作（調整方法）の一例を示すフローチャートである。図１１において、図６のフローチャートに示すステップと実質的に同じ動作を実行するステップには同じ符号を付与し、そのステップの説明を省略する。
【０１０７】
実施の形態２の調整方法は、図６に示した実施の形態１の調整方法と実質的に同じであるので、詳細な説明を省略する。ただし、実施の形態２の調整方法は、実施の形態１の調整方法と比較して、ステップＳ１０４の後にステップＳ１０４ａが追加されている点が異なる。調整方法におけるその他のステップは、実施の形態１と同様である。
【０１０８】
ステップＳ１０４の後で、変更部１６０は、取得部１１０で取得された第１メタデータを、変換部１３０において第１映像信号が変換されることにより得られた第２映像信号の特性を示す第２メタデータに変更する（ステップＳ１０４ａ）。
【０１０９】
ステップＳ１０４ａが終了すると、実施の形態１の調整方法におけるステップＳ１０５が行われる。
【０１１０】
［２−３．効果、等］
以上のように、本実施の形態における調整装置において、取得部は、さらに、第１映像信号の特性を示す第１メタデータを取得してもよい。当該調整装置は、さらに、取得部で取得された第１メタデータを、第２映像信号の特性を示す第２メタデータに変更する変更部を備えてもよい。出力部は、第２映像信号および第２メタデータを出力してもよい。
【０１１１】
なお、調整装置１００ａは調整装置の一例である。変更部１６０は変更部の一例である。
【０１１２】
例えば、実施の形態２に示した調整装置１００ａにおいて、取得部１１０は、さらに、第１映像信号の特性を示す第１メタデータを取得する。調整装置１００ａは、さらに、変更部１６０を備える。変更部１６０は、取得部１１０で取得された第１メタデータを、変換部１３０おいて第１映像信号が変換されることにより得られた第２映像信号の特性を示す第２メタデータに変更する。出力部１５０は、第２映像信号および第２メタデータを含む第２映像データを出力する。
【０１１３】
このように構成された調整装置１００ａは、変換部１３０における変換処理の結果に応じて、第１映像信号の第１メタデータを第２メタデータに変更し、その変更により得られた第２メタデータを表示装置２００に出力する。つまり、調整装置１００ａは、第２映像信号の特性を示す第２メタデータを表示装置２００に出力することができるため、第２映像信号を表示装置２００に適切に表示させることが容易にできる。
【０１１４】
当該調整装置において、第１メタデータは、第１映像信号の映像全体に含まれる画素の最大輝度値である第１最大輝度値、および、第１映像信号の映像を構成する複数のフレームのそれぞれの平均輝度の最大値である第１最大フレーム平均輝度値、の少なくとも１つを含んでもよい。変更部は、（ｉ）第１最大輝度値から、第２映像信号の映像全体に含まれる画素の最大輝度値である第２最大輝度値への変更、および、（ｉｉ）第１最大フレーム平均輝度値から、第２映像信号の映像を構成する複数のフレームのそれぞれの平均輝度の最大値である第２最大フレーム平均輝度値への変更、の少なくとも１つを行ってもよい。
【０１１５】
例えば、実施の形態２に示した調整装置１００ａにおいて、第１メタデータは、第１映像信号の映像全体（コンテンツ内の全フレーム）に含まれる画素の最大輝度値（ＭａｘＣＬＬ）である第１最大輝度値、および、第１映像信号の映像を構成する複数のフレーム（コンテンツ内の全フレーム）のそれぞれのフレームの平均輝度の最大値（ＭａｘＦＡＬＬ）である第１最大フレーム平均輝度値、の少なくとも１つを含む。変更部１６０は、（ｉ）第１最大輝度値から、第２映像信号の映像全体（コンテンツ内の全フレーム）に含まれる画素の最大輝度値である第２最大輝度値への変更、および、（ｉｉ）第１最大フレーム平均輝度値から、第２映像信号の映像を構成する複数のフレーム（コンテンツ内の全フレーム）のそれぞれのフレームの平均輝度の最大値である第２最大フレーム平均輝度値への変更、の少なくとも１つを行う。
【０１１６】
このように構成された調整装置１００ａは、ＭａｘＣＬＬおよびＭａｘＦＡＬＬの少なくとも一方の値を、変換処理後の第２映像信号において適切な値に変更できる。したがって、調整装置１００ａは、第２映像信号を表示装置２００に適切に表示させることが容易にできる。
【０１１７】
（実施の形態３）
次に、図１２および図１３を用いて、実施の形態３を説明する。
【０１１８】
［３−１．構成］
図１２は、実施の形態３における調整装置１００ｂの機能構成の一例を模式的に示すブロック図である。
【０１１９】
実施の形態３における調整装置１００ｂの構成は、実施の形態１で図３を用いて説明した調整装置１００の構成と実質的に同じであるので、詳細な説明を省略する。ただし、実施の形態３の調整装置１００ｂは、実施の形態１の調整装置１００と比較して、取得部１１０において取得された第１映像データに含まれる第１メタデータが変換部１３０ｂに出力され、変換部１３０ｂが第１メタデータに応じて変換処理を行う点が異なる。
【０１２０】
変換部１３０ｂは、第１メタデータに応じて、第１映像信号を第２映像信号に変換する。ここでは、第１メタデータは、実施の形態２で説明した静的メタデータを含む。第１メタデータは、第１映像信号の映像が生成される基になったマスター映像が生成されたときに使用されたマスターモニターの最大輝度値、および、第１映像信号の映像全体（コンテンツ内の全フレーム）に含まれる画素の最大輝度値（ＭａｘＣＬＬ）である第１最大輝度値、の少なくとも１つを含む。また、第２映像信号は、第２映像信号の輝度が、第１メタデータに含まれるマスターモニターの最大輝度値および第１最大輝度値（ＭａｘＣＬＬ）の一方以下となるように、第２変換部１３２ｂが有する第２Ｒ信号変換部１３２Ｒｂ、第２Ｇ信号変換部１３２Ｇｂ、および第２Ｂ信号変換部１３２Ｂｂにおいて調整処理が行われることにより得られる信号である。つまり、変換部１３０ｂは、具体的には、第１映像信号から第２映像信号への変換を行う際に、第２映像信号の輝度が、第１メタデータに含まれるマスターモニターの最大輝度値および第１最大輝度値の一方以下となるように、第２変換部１３２ｂにおいて調整処理を行ってもよい。例えば、変換部１３０ｂの第２変換部１３２ｂは、実施の形態１の変形例で示したように、所定の閾値未満において傾きがＡとなり、所定の閾値以上において傾きがＡよりも小さいＢとなるニーカーブによる変換を行ってもよい。そして、変換部１３０ｂの第２変換部１３２ｂは、ニーカーブによる変換を行う場合、第１メタデータに含まれる最大輝度値が維持されるように、調整処理を行ってもよい。
【０１２１】
また、第１メタデータは、動的メタデータであり、第１映像信号の映像を構成する複数のシーンのそれぞれの最大輝度値を含んでいてもよい。
【０１２２】
この場合、第２映像信号は、複数のシーンのそれぞれについて、第２映像信号の輝度が、第１メタデータに含まれる当該シーンの最大輝度値以下となるように、第２変換部１３２ｂで調整処理が行われることにより得られる信号である。つまり、変換部１３０ｂは、第１映像信号の映像を構成する複数のシーンのそれぞれについて、第１映像信号から第２映像信号への変換を行う際に、第２映像信号の輝度が、第１メタデータに含まれる当該シーンの最大輝度値以下となるように、調整処理を行ってもよい。
【０１２３】
［３−２．動作］
以上のように構成された実施の形態３の調整装置１００ｂについて、図１３を用いてその動作を以下に説明する。
【０１２４】
実施の形態３の調整方法は、図６に示した実施の形態１の調整方法と実質的に同じであるので、詳細な説明を省略する。ただし、実施の形態３の調整方法は、実施の形態１の調整方法と比較して、図７に詳細を示したステップＳ１０３の変換処理の一部が異なる。したがって、ここでは、その変換処理の異なる点のみを説明する。
【０１２５】
図１３は、実施の形態３における変換処理の一例を示すフローチャートである。図１３において、図７のフローチャートに示すステップと実質的に同じ動作を実行するステップには同じ符号を付与し、そのステップの説明を省略する。
【０１２６】
実施の形態３の変換処理は、図７に示した実施の形態１の変換処理のステップＳ１１２に代えて、ステップＳ１１２ａを行う。実施の形態３の変換処理は、その点が実施の形態１の変換処理と異なる。変換処理のその他のステップは、実施の形態１と同様である。
【０１２７】
ステップＳ１１１の後で、変換部１３０ｂは、第１メタデータに応じて調整処理を行う（ステップＳ１１２ａ）。なお、実施の形態３の変換部１３０ｂでは、上記調整処理を第２変換部１３２ｂが行う。
【０１２８】
［３−３．効果、等］
以上のように、本実施の形態における調整装置において、取得部は、さらに、第１映像信号の特性を示す第１メタデータを取得してもよい。変換部は、取得部で取得された第１メタデータに応じて、第１映像信号を第２映像信号に変換してもよい。
【０１２９】
当該調整装置において、第１メタデータは、第１映像信号の映像が生成される基になったマスター映像が生成されたときに使用されたマスターモニターの最大輝度値、および、第１映像信号の映像全体に含まれる画素の最大輝度値である第１最大輝度値、の少なくとも１つを含んでもよい。第２映像信号は、第２映像信号の輝度が、第１メタデータに含まれるマスターモニターの最大輝度値および第１最大輝度値の一方以下となるように、調整処理が行われることにより得られる信号であってもよい。
【０１３０】
なお、調整装置１００ｂは調整装置の一例である。変換部１３０ｂは変換部の一例である。
【０１３１】
例えば、実施の形態３に示した調整装置１００ｂでは、取得部１１０は、さらに、第１映像信号の特性を示す第１メタデータを取得する。変換部１３０ｂは、取得部１１０で取得された第１メタデータに応じて、第１映像信号を第２映像信号に変換する。
【０１３２】
第１メタデータは、第１映像信号の映像が生成される基になったマスター映像が生成されたときに使用されたマスターモニターの最大輝度値、および、第１映像信号の映像全体（コンテンツ内の全フレーム）に含まれる画素の最大輝度値（ＭａｘＣＬＬ）である第１最大輝度値、の少なくとも１つを含む。第２映像信号は、第２映像信号の輝度が、第１メタデータに含まれるマスターモニターの最大輝度値および第１最大輝度値（ＭａｘＣＬＬ）の一方以下となるように、調整処理が行われることにより得られる信号である。
【０１３３】
このように構成された調整装置１００ｂは、例えば、第１映像信号の最大輝度値を第２映像信号において維持した上で、ニーカーブ変換を行うことができるため、映像の輝度を適切に調整することができる。
【０１３４】
当該調整装置において、第１メタデータは、第１映像信号の映像を構成する複数のシーンのそれぞれの最大輝度値を含んでいてもよい。第２映像信号は、当該複数のシーンのそれぞれについて、第２映像信号の輝度が、第１メタデータに含まれる当該シーンの最大輝度値以下となるように、調整処理が行われることにより得られる信号であってもよい。
【０１３５】
例えば、実施の形態３に示した調整装置１００ｂにおいて、第１メタデータは、第１映像信号の映像を構成する複数のシーンのそれぞれの最大輝度値を含む。第２映像信号は、当該複数のシーンのそれぞれについて、第２映像信号の輝度が、第１メタデータに含まれる当該シーンの最大輝度値以下となるように、調整処理が行われることにより得られる信号である。
【０１３６】
このように構成された調整装置１００ｂは、第２映像信号を、シーン毎に適切な輝度に調整することができる。
【０１３７】
（実施の形態４）
次に、図１４および図１５を用いて、実施の形態４を説明する。
【０１３８】
［４−１．構成］
図１４は、実施の形態４における調整装置１００ｃの機能構成の一例を模式的に示すブロック図である。
【０１３９】
実施の形態４における調整装置１００ｃの構成は、実施の形態１で図３を用いて説明した調整装置１００の構成と実質的に同じであるので、詳細な説明を省略する。ただし、実施の形態４の調整装置１００ｃは、実施の形態１の調整装置１００と比較して、ＹＵＶ−ＲＧＢ変換部１２０およびＲＧＢ−ＹＵＶ変換部１４０を備えておらず、変換部１３０ｃがＲＧＢ信号の各信号に対応する変換部を有していない構成である点が異なる。
【０１４０】
変換部１３０ｃは、ＹＵＶ信号で構成される第１映像信号のうちの輝度信号を示す第１Ｙ信号に対して、変換処理を行う。具体的には、変換部１３０ｃでは、第１Ｙ信号に対して、第１変換部１３１ｃが、実施の形態１で説明した第１変換部１３１と同様の動作によりリニア信号への変換を行い、第２変換部１３２ｃが、実施の形態１で説明した第２変換部１３２と同様の動作により調整処理を行い、第３変換部１３３ｃが、実施の形態１で説明した第３変換部１３３と同様の動作により非リニア信号への変換を行う。これにより、変換部１３０ｃは、第２Ｙ信号を出力する。なお、取得部１１０において取得された第１映像信号のうちの色差信号を示す第１Ｕ信号および第１Ｖ信号は、変換部１３０ｃにおける変換処理が行われることなく出力部１５０に出力される。
【０１４１】
出力部１５０は、第２Ｙ信号、第１Ｕ信号および第１Ｖ信号により構成される第２映像信号を出力する。
【０１４２】
［４−２．動作］
以上のように構成された実施の形態４の調整装置１００ｃについて、図１５を用いてその動作を以下に説明する。
【０１４３】
図１５は、実施の形態４における調整装置１００ｃの動作（調整方法）の一例を示すフローチャートである。図１５において、図６のフローチャートに示すステップと実質的に同じ動作を実行するステップには同じ符号を付与し、そのステップの説明を省略する。
【０１４４】
実施の形態４の調整方法は、図６に示した実施の形態１の調整方法と実質的に同じであるので、詳細な説明を省略する。ただし、実施の形態４の調整方法は、実施の形態１の調整方法と比較して、ステップＳ１０２およびステップＳ１０４が省略されている点が異なる。調整方法のその他のステップは、実施の形態１と同様である。
【０１４５】
すなわち、実施の形態４の調整方法は、実施の形態１と同様のステップＳ１０１、ステップＳ１０３およびステップＳ１０５の処理が行われる。そして、実施の形態４の調整方法におけるステップＳ１０３の処理は、ＹＵＶ信号で構成される第１映像信号の第１Ｙ信号に対して行われる。
【０１４６】
［４−３．効果、等］
実施の形態４における調整装置１００ｃは、ＹＵＶ信号で構成される第１映像信号に対して、実施の形態１に示した変換処理と同様の変換処理を行う。そのため、調整装置１００ｃでは、実施の形態１に示したＲＧＢの各信号に対して変換処理を行う構成と比較して、処理負荷を低減できる。
【０１４７】
（実施の形態５）
次に、図１６を用いて、実施の形態５を説明する。
【０１４８】
図１６は、実施の形態５における調整装置１００ｄの機能構成の一例を模式的に示すブロック図である。
【０１４９】
実施の形態５における調整装置１００ｄの構成は、実施の形態１で図３を用いて説明した調整装置１００の構成と実質的に同じであるので、詳細な説明を省略する。ただし、実施の形態５の調整装置１００ｄは、実施の形態１の調整装置１００と比較して、変換部１３０ｄが、第１変換部１３１と、第２変換部１３２と、第３変換部１３３とを有しておらず、Ｒ信号テーブル変換部１３０Ｒと、Ｇ信号テーブル変換部１３０Ｇと、Ｂ信号テーブル変換部１３０Ｂとを有する点が異なる。
【０１５０】
すなわち、変換部１３０ｄは、実施の形態１等で説明したリニア信号への変換、調整処理および非リニア信号への変換をそれぞれ個別に行わずに、実施の形態１等で説明したリニア信号への変換、調整処理および非リニア信号への変換が織り込まれたテーブルを用いた変換を、ＲＧＢ信号で構成される第１映像信号の各信号について行ってもよい。
【０１５１】
（他の実施の形態）
以上のように、本出願において開示する技術の例示として、実施の形態１〜５を説明した。しかしながら、本開示における技術は、これに限定されず、適宜、変更、置き換え、付加、省略等を行った実施の形態にも適用可能である。また、上記実施の形態１〜５で説明した各構成要素を組み合わせて、新たな実施の形態とすることも可能である。
【０１５２】
そこで、以下、他の実施の形態を例示する。
【０１５３】
実施の形態１〜５では、調整装置１００、１００ａ〜１００ｄは、表示装置２００で表示可能な最大輝度に応じて調整処理を行ってもよいと説明した。この場合、調整装置１００、１００ａ〜１００ｄは、当該表示可能な最大輝度を、ケーブル３００経由で表示装置２００から取得してもよい。
【０１５４】
実施の形態１〜５に示した調整装置１００、１００ａ〜１００ｄは、照度センサで周囲（視聴環境）の照度を検出し、照度センサにおいて検出された照度の大きさに応じた調整処理を行ってもよい。この場合、調整装置１００、１００ａ〜１００ｄは、検出された照度が大きいほど、調整処理において、ゲイン変更における倍率（実施の形態１の「Ａ倍」）をより大きくする変換を行ってもよい。照度センサは、調整装置１００、１００ａ〜１００ｄに備えられていてもよい。あるいは、表示装置２００が照度センサを備え、その照度センサにおける検出値を、ケーブル３００経由で表示装置２００から調整装置１００、１００ａ〜１００ｄが取得してもよい。
【０１５５】
実施の形態３では、調整装置１００ｂは、動的メタデータを用いて、映像のシーン毎に調整処理を行ってもよい、と説明した。しかし、本開示は何らこの動作に限定されない。例えば、実施の形態３の調整装置１００ｂは、シーン毎の映像の輝度を動的に分析し、分析した結果に応じて調整処理を行ってもよい。
【０１５６】
実施の形態２に示した調整装置１００ａの変換部１３０は、実施の形態３に示した調整装置１００ｂのように、取得部１１０において取得された第１メタデータに応じて変換処理を行ってもよい。変更部１６０は、第１メタデータに応じて行われた変換処理の内容に応じて、第１メタデータを第２メタデータに変更してもよい。
【０１５７】
調整装置において、変換部は、第２映像信号の輝度が、所定の最大輝度値以下となるように、調整処理を行ってもよい。調整装置は、さらに、取得部で取得された第１メタデータを、第２映像信号の特性を示す第２メタデータに変更する変更部を備えてもよい。出力部は、第２映像信号および第２メタデータを出力してもよい。
【０１５８】
例えば、実施の形態２に示した調整装置１００ａの変換部１３０は、第２映像信号の輝度が、所定の最大輝度値以下となるように、調整処理を行ってもよい。調整装置１００ａの変更部１６０は、取得部１１０で取得された第１メタデータを、第２映像信号の特性を示す第２メタデータに変更してもよい。出力部１５０は、第２映像信号および第２メタデータを出力してもよい。
【０１５９】
なお、所定の最大輝度値は、例えば、第１映像信号のピーク輝度、表示装置２００が表示可能な最大輝度値、予め定められた輝度（例えば、５００ｎｉｔ、１，０００ｎｉｔ、等）、第１映像信号の映像が生成される基になったマスター映像が生成されたときに使用されたマスターモニターの最大輝度値、または第１最大輝度値、等の、実施の形態において最大輝度値として説明されたいずれであってもよく、またはその他の輝度値であってもよい。
【０１６０】
実施の形態５では、実施の形態１の変換部１３０の処理をテーブルを用いて行う構成を示したが、例えば、実施の形態４の変換部１３０ｃの処理をテーブルを用いて行う構成としてもよい。
【０１６１】
実施の形態１〜５において、各構成要素は、専用のハードウェア（電子回路）で構成されてもよく、あるいは、各構成要素に適したソフトウェアプログラムをプロセッサが実行することによって実現されてもよい。各構成要素は、ＣＰＵ（Ｃｅｎｔｒａｌ  Ｐｒｏｃｅｓｓｉｎｇ  Ｕｎｉｔ）またはプロセッサなどのプログラム実行部が、ハードディスクまたは半導体メモリ等の記録媒体に記録されたソフトウェアプログラムを読み出して実行することによって実現されてもよい。
【０１６２】
また、実施の形態で図面に示したブロック図における機能ブロックの分割は、単なる一例に過ぎない。例えば、複数の機能ブロックを１つの機能ブロックとして実現したり、あるいは、１つの機能ブロックを複数に分割したり、または、一部の機能を他の機能ブロックに移したりしてもよい。また、複数の機能ブロックの機能を、単一のハードウェアまたはソフトウェアが、並列に処理してもよく、または時分割に処理してもよい。
【０１６３】
ここで、上記各実施の形態の調整方法などを実現するソフトウェアは、次のようなプログラムである。
【０１６４】
すなわち、このプログラムは、コンピュータに、第１のＯＥＴＦで生成された非リニアな第１映像信号を第２映像信号に変換することで、表示装置に表示される映像を調整する調整装置が行う調整方法であって、第１映像信号を取得し、当該取得において取得された第１映像信号を、（ｉ）当該第１映像信号が、第１のＯＥＴＦの逆特性が用いられることでリニア信号に変換され、かつ、（ｉｉ）当該リニア信号に対して入力値と出力値との関係がリニアとなるゲイン変更を含む調整処理が行われ、かつ、（ｉｉｉ）当該調整処理が行われることにより得られた調整後リニア信号が、所定のフォーマットに応じた第２のＯＥＴＦが用いられることで変換される、ことにより得られる、非リニアな第２映像信号に変換し、当該変換により得られた第２映像信号を出力する調整方法、を実行させる。
【０１６５】
また、上記調整方法と、同調整方法をコンピュータに実行させるコンピュータプログラムおよびそのプログラムを記録したコンピュータ読み取り可能な記録媒体は、本開示の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリ、等を挙げることができる。コンピュータプログラムは、上記記録媒体に記録されたものに限定されず、電気通信回線、無線または有線通信回線、インターネットを代表とするネットワーク、等を経由して伝送されてもよい。
【０１６６】
また、上記の各装置を構成する構成要素の一部または全部は、各装置に脱着可能なＩＣカードまたは単体のモジュールから構成されてもよい。
【０１６７】
また、上記の各装置を構成する構成要素の一部または全部は、１つのＬＳＩ（Ｌａｒｇｅ  Ｓｃａｌｅ  Ｉｎｔｅｇｒａｔｉｏｎ：大規模集積回路）で構成されてもよい。
【０１６８】
また、各処理部は、ＬＳＩまたはＩＣに限定されるものではなく、専用回路または汎用プロセッサで実現されてもよい。あるいは、回路構成をプログラムすることが可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続や設定を再構成可能なリコンフィギュラブル・プロセッサで実現されてもよい。
【０１６９】
また、上記のプログラムを、記録媒体に記録して頒布または流通させてもよい。例えば、頒布されたプログラムを装置類にインストールして、装置類のプロセッサに実行させることで、装置類に各種処理を行わせることが可能となる。
【０１７０】
また、本開示におけるコンピュータプログラムまたはデジタル信号を、電気通信回線、無線または有線通信回線、インターネット等のネットワーク、データ放送、等を経由して伝送してもよい。
【０１７１】
また、本開示は、プログラムまたはデジタル信号を記録媒体に記録して移送することにより、またはプログラムまたはデジタル信号を、ネットワーク等を経由して移送することにより、独立した他のコンピュータシステムにより実施してもよい。
【０１７２】
また、実施の形態において、各処理（各機能）は、単一の装置（システム）によって集中処理されることによって実現されてもよく、あるいは、複数の装置によって分散処理されることによって実現されてもよい。
【０１７３】
以上のように、本開示における技術の例示として、実施の形態を説明した。そのために、添付図面および詳細な説明を提供した。
【０１７４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７５】
また、上述の実施の形態は、本開示における技術を例示するためのものであるから、特許請求の範囲またはその均等の範囲において種々の変更、置き換え、付加、省略などを行うことができる。
【産業上の利用可能性】
【０１７６】
本開示は、映像の輝度を効果的に調整できる調整装置等に適用可能である。具体的には、Ｕｌｔｒａ  ＨＤ  Ｂｌｕ−ｒａｙ（登録商標）プレーヤ、ＳＴＢ（Ｓｅｔ  Ｔｏｐ  Ｂｏｘ）等に、本開示は適用可能である。
【符号の説明】
【０１７７】
１００，１００ａ，１００ｂ，１００ｃ，１００ｄ    調整装置
１１０    取得部
１２０    ＹＵＶ−ＲＧＢ変換部
１３０，１３０ｂ，１３０ｃ，１３０ｄ    変換部
１３０Ｒ    Ｒ信号テーブル変換部
１３０Ｇ    Ｇ信号テーブル変換部
１３０Ｂ    Ｂ信号テーブル変換部
１３１，１３１ｃ    第１変換部
１３１Ｒ    第１Ｒ信号変換部
１３１Ｇ    第１Ｇ信号変換部
１３１Ｂ    第１Ｂ信号変換部
１３２，１３２ｂ，１３２ｃ    第２変換部
１３２Ｒ，１３２Ｒｂ    第２Ｒ信号変換部
１３２Ｇ，１３２Ｇｂ    第２Ｇ信号変換部
１３２Ｂ，１３２Ｂｂ    第２Ｂ信号変換部
１３３，１３３ｃ    第３変換部
１３３Ｒ    第３Ｒ信号変換部
１３３Ｇ    第３Ｇ信号変換部
１３３Ｂ    第３Ｂ信号変換部
１４０    ＲＧＢ−ＹＵＶ変換部
１５０    出力部
１６０    変更部
２００    表示装置
３００    ケーブル
【図１】
2018062022.tif 000003
【図２Ａ】
2018062022.tif 000004
【図２Ｂ】
2018062022.tif 000005
【図３】
2018062022.tif 000006
【図４】
2018062022.tif 000007
【図５】
2018062022.tif 000008
【図６】
2018062022.tif 000009
【図７】
2018062022.tif 000010
【図８】
2018062022.tif 000011
【図９】
2018062022.tif 000012
【図１０】
2018062022.tif 000013
【図１１】
2018062022.tif 000014
【図１２】
2018062022.tif 000015
【図１３】
2018062022.tif 000016
【図１４】
2018062022.tif 000017
【図１５】
2018062022.tif 000018
【図１６】
2018062022.tif 000019
【国際調査報告】
2018062022.tif 000020
2018062022.tif 000021
2018062022.tif 000022
2018062022.tif 000023